(57)【特許請求の範囲】
【請求項１】
基台のブラシ面に複数植設されて頭皮マッサージ用ブラシを構成するへら状突起であって、
エラストマー樹脂からなり、扁平な横断面形状を有するへら状部の先端部分に、複数の先端突起が、前記扁平な横断面形状の長軸方向に間隔をおいて立設配置されており、
前記先端突起は、先端が曲面状に面取りされた略円錐形状を有しており、前記へら状部の先端から１〜５ｍｍの高さで突出しており、且つ該高さと根元部における太さとの比が０．４〜２．５である、へら状突起。
【請求項２】
前記ブラシ面から前記先端突起の先端までの高さが５〜２５ｍｍとなっており、前記へら状部の高さが前記先端突起の先端までの高さの７０〜９５％を占めている請求項１記載のへら状突起。
【請求項３】
前記へら状部は、前記ブラシ面に沿った根元部の横断面形状が、長軸の長さが５〜２０ｍｍ、短軸の長さが２〜１５ｍｍの大きさの扁平な楕円形状となっていると共に、略相似の断面形状を保持したまま、先端に向かって僅かに先細りの形状となっている請求項１又は２記載のへら状突起。
【請求項４】
前記先端突起は、前記へら状部の扁平な横断面形状の長軸方向に、根元部における間隔が０〜５ｍｍ、頂部における間隔が１〜７ｍｍの間隔をおいて、前記へら状部の先端部分に３本立設配置されている請求項１〜３の何れか１項記載のへら状突起。
【請求項５】
請求項１〜４の何れか１項記載のへら状突起が基台のブラシ面に複数植設されている頭皮マッサージ用ブラシ。
【発明の詳細な説明】
【技術分野】
【０００１】
本発明は、頭皮マッサージ用ブラシに関し、特に基台のブラシ面にエラストマー樹脂からなる複数の突起が植設されている頭皮マッサージ用ブラシに関する。
【背景技術】
【０００２】
洗髪や毛髪の手入れを行う際に使用するヘアブラシとして、例えばブラシを構成する刷毛状の突起の先端に球状体を設けたものや、略円錐形の突起を有するもの、或いは異なる太さと長さを備える突起を組み合わせたもの等、種々の形態のものが知られている。また、近年、頭皮を掻く機能や、毛髪を掻く機能、或いは絡みついた毛髪を解く機能の他に、汚れや臭いの原因となる皮脂を除去したり毛穴を洗浄する機能に優れると共に、頭皮や毛穴に対するマッサージ効果に優れるマッサージ用ブラシも開発されている（例えば、特許文献１参照）。
【０００３】
さらに、頭皮のマッサージ効果を向上させるべく、基台に植設されて毛髪を掻き分ける複数の突起を、エラストマーや合成ゴム等の柔軟な素材を用いて形成すると共に、突起の先端部分に複数の小突起を設け、これらの小突起を柔軟に屈曲させながら頭皮に対して多点で接触させるようにした頭皮マッサージ用ブラシも開発されている（例えば、特許文献２参照）。
【先行技術文献】
【特許文献】
【０００４】
【特許文献１】特開２０００−６０６４０号公報
【特許文献２】特開２００５−１６０６８４号公報
【発明の概要】
【発明が解決しようとする課題】
【０００５】
エラストマーや合成ゴム等の柔軟な素材を用いて複数の突起を形成した特許文献２の頭皮マッサージ用ブラシでは、各突起は、その体積の多くを占める土台部と、土台部の先端部分に立設する複数の小突起とからなり、小突起は、太さに対して２．５〜７倍程度の長さを備えている。そして、突起を頭皮に押し付けた際に、複数の小突起が、例えば互いに離れて開くようにしながら頭皮と接触すると共に、個々に撓みながら動いて頭皮を捻ることによってマッサージ効果を高めることになるが、小突起が撓み易いため、汚れや臭いの原因となる皮脂を除去したり毛穴を洗浄する機能に劣っていた。
【０００６】
本発明は、主として毛髪を掻き分ける機能を発揮する複数の突起と、主としてマッサージ効果を発揮する複数の突起とを、柔軟なエラストマー樹脂を用いて基台のブラシ面に異なる形状の突起として植設することにより、優れたマッサージ効果が得られると共に、優れた皮脂の除去機能や毛穴の洗浄機能を発揮することのできる頭皮マッサージ用ブラシを提供することを目的とする。
【課題を解決するための手段】
【０００７】
本発明は、扁平な横断面形状を有すると共に、先端部分に複数の先端突起が前記扁平な横断面形状の長軸方向に間隔をおいて立設配置された、エラストマー樹脂からなる複数のへら状突起と、先端が曲面状に面取りされた、エラストマー樹脂からなる複数の錐体状突起とが、基台のブラシ面に植設されている頭皮マッサージ用ブラシを提供することにより、上記目的を達成したものである。
【発明の効果】
【０００８】
本発明の頭皮マッサージ用ブラシによれば、主として毛髪を掻き分ける機能を発揮する複数の突起と、主としてマッサージ効果を発揮する複数の突起とを、柔軟なエラストマー樹脂を用いて基台のブラシ面に異なる形状の突起として植設することにより、優れたマッサージ効果が得られると共に、優れた皮脂の除去機能や毛穴の洗浄機能を発揮することができる。
【図面の簡単な説明】
【０００９】
【図１】本発明の好ましい一実施形態に係る頭皮マッサージ用ブラシの斜視図である。
【図２】本発明の好ましい一実施形態に係る頭皮マッサージ用ブラシのブラシ面を示す底面図である。
【図３】本発明の好ましい一実施形態に係る頭皮マッサージ用ブラシの断面図である。
【図４】（ａ）はへら状突起の正面図、（ｂ）はへら状突起の側面図である。
【図５】錐体状突起の正面図である。
【図６】（ａ）は比較例１の頭皮頭皮マッサージ用ブラシにおけるへら状突起の配置状態を説明する略示平面図、（ｂ）は比較例１の頭皮頭皮マッサージ用ブラシにおける錐体状突起の配置状態を説明する略示平面図である。
【発明を実施するための形態】
【００１０】
図１及び図２に示す本発明の好ましい一実施形態に係る頭皮マッサージ用ブラシ１０は、把持部１１を有する基台１２のブラシ面１３に、エラストマー樹脂からなる異なる形状のへら状突起１４と錐体状突起１５とを各々複数植設することによって構成される。本実施形態の頭皮マッサージ用ブラシ１０は、例えば洗髪や毛髪の手入れを行う際に、把持部１１を指の間に挟み込み、ブラシ面１３とは反対側の基台１２の上面に手の平を密着させて、当該上面を覆うようにしながらブラシ１０を把持し、ブラシ面１３に植設した複数のへら状突起１４及び錐体状突起１５の先端を頭皮に押し当てた状態で、毛髪を掻き分けるようにしつつブラシ１０を動かすことにより、必要に応じて頭皮や毛髪に塗布した洗浄剤、ヘアケア剤、化粧料等の作用と相俟って、皮脂の除去や毛穴の洗浄を効率良く行えるようにすると共に、優れたマッサージ効果が得られるようにするものである。
【００１１】
そして、本実施形態の頭皮マッサージ用ブラシ１０は、扁平な横断面形状を有すると共に、先端部分に複数の先端突起１６が扁平な横断面形状の長軸方向Ｘ（図２参照）に間隔をおいて立設配置された、エラストマー樹脂からなる複数のへら状突起１４と、先端が曲面状に面取りされた、エラストマー樹脂からなる複数の錐体状突起１５とが、基台１２のブラシ面１３に植設されることによって構成されている。
【００１２】
本実施形態では、基台１２は、例えばポリエチレン、ポリプロピレン等からなるプラスチック製の成形品であって、図３にも示すように、底面が楕円形状の装着開口１７ａとして開口し、上面が滑らかな湾曲凸面となった、例えば長軸の長さが８０〜１００ｍｍ程度、短軸の長さが７０〜９０ｍｍ程度の大きさ（基台の大きさです。）の楕円平面形状を有する基台本体１７と、この基台本体１７の装着開口１７ａを閉塞するように嵌め込み固定される基板１８とからなる。
【００１３】
基台本体１７には、その内側に、後述するエラストマー成形体１９の底盤部１９ａを装着するための装着凹部１７ｂが、装着開口１７ａを底面側に開口させて設けられていると共に、基台本体１７の上面には、高波状に後方に反った形状で上方に突出する把持部１１が、基台本体１７の前方部分に設けられている。
【００１４】
基板１８は、基台本体１７の装着開口１７ａと同様の楕円平面形状を備えており、その突状に形成された周端面１８ａを、装着開口１７ａの開口縁部に沿って基台本体１７の内周面に設けられた係止凹溝１７ｃに嵌め込み係止することにより、基台本体１７に一体として固定される。また基板１８の下面は、基台１２の底面となってブラシ面１３を形成すると共に、基板１８には、後述するへら状突起１４及び錐体状突起１５の配設位置に対応させて、楕円突起穴２０及び円形突起穴２１が各々複数開口形成されている（図２参照）。
【００１５】
そして、基板１８は、エラストマー成形体１９の底盤部１９ａから突出して一体成形された複数のへら状突起１４及び複数の錐体状突起１５を、複数の楕円突起穴２０及び複数の円形突起穴２１に各々挿通させた状態で、基台本体１７の装着凹部１７ｂの内側天面部から垂下する支持棒１７ｄ（図３参照）や、装着凹部１７ｂの周縁段差部１７ｅとの間にエラストマー成形体１９の底盤部１７ａを挟み込みつつ、基台本体１７の装着開口１７ａを覆って嵌め込み固定される。これによって、エラストマー成形体１９は、複数のへら状突起１４及び複数の錐体状突起１５を、頭皮マッサージ用ブラシ１０のブラシ面１３を構成する基板１８の下面から各々下方に突出させつつ、底盤部１９ａを装着凹部１７ｂに収容固定した状態で、基台１２に取り付けられることになる。
【００１６】
エラストマー成形体１９は、エラストマー樹脂として、例えばオレフィン系エラストマー、スチレン系エラストマー、ポリエステル系エラストマー、ウレタン系エラストマー等を用いて形成した樹脂成形品であって、基台本体１７の装着開口１７ａと同様の楕円平面形状を有する板状の底盤部１９ａと、底盤部１９ａから一体として突出する複数のへら状突起１４及び複数の錐体状突起１５とからなる。エラストマー成形体１９は、上述のように、底盤部１９ａを装着凹部１７ｂに収容固定した状態で基台本体１７に取り付けられ、基板１８によるブラシ面１３からへら状突起１４及び錐体状突起１５を後述する所望の高さで突出させる。ここで、エラストマー成形体１９を形成するためのエラストマー樹脂としては、例えば硬度（ショアＡ硬度、株式会社テクロック製のゴム硬度計（ＧＳ７０９Ｎ  形式Ａ）ＡＳＴＭ  Ｄ２２４０Ａ  ０−１００（ショアＡ硬度）に準拠して測定された数値）が４０〜８０の素材を用いることが好ましい。エラストマー成形体１９を形成するためのエラストマー樹脂としてこのような素材のものを用いることにより、頭皮を傷つけず、かつ痛くない圧力で頭皮に押し付けることができ、適度な刺激を与えることが可能であり、優れたマッサージ効果が得られると共に、必要に応じて頭皮や毛髪に塗布した洗浄剤等の作用と相俟って、皮脂の除去や毛穴の洗浄を効率良く行うことが可能になる。また、本実施形態では、植設基台としての底盤部１９ａを備えるエラストマー成形体１９を介してへら状突起１４及び錐体状突起１５をブラシ面１３から突出させることにより、複数のへら状突起１４及び複数の錐体状突起１５をブラシ面１３に所望の高さで容易に植設することが可能になる。なお、頭皮マッサージ用ブラシ１０をシャンプーや育毛剤と共に使用する場合には、エラストマー成形体１９は、これらに対する耐薬品性に優れているオレフィン系エラストマーやスチレン系エラストマーを用いて形成することが好ましい。
【００１７】
ブラシ面１３に植設されるへら状突起１４は、ブラシ面１３に沿った根元部の横断面形状が、例えば長軸の長さが５〜２０ｍｍ程度、短軸の長さが２〜１５ｍｍ程度の大きさの扁平な楕円形状となっていると共に（図２参照）、図４（ａ），（ｂ）にも示すように、略相似の断面形状を保持したまま、先端に向かって僅かに先細りの形状となっているへら状部１４ａと、へら状部１４ａの先端からさらに上方に突出する３本の先端突起１６とからなる。またへら状突起１４は、ブラシ面１３から先端突起１６の先端までの高さｈ1が例えば５〜２５ｍｍ、好ましくは１０〜２０ｍｍとなるよう植設されると共に、へら状部１４ａの高さｈ2が先端突起１６の先端までの高さｈ1の７０〜９５％を占めていて、へら状部１４ａがへら状突起１４の主体部分となるように植設される。これによって、毛髪を掻き分ける機能が効率良く発揮されると共に、頭皮に押し当てたときに先端部分に力が伝わりやすくなる。
【００１８】
へら状突起１４の先端部分に設けられた先端突起１６は、例えば先端が曲面状に面取りされた略円錐形状を有しており、へら状部１４ａの先端から例えば１〜５ｍｍの高さｈ3で突出すると共に、へら状突起１４の扁平な横断面形状の長軸方向Ｘに例えば根元部における間隔ｓ1が０〜５ｍｍ、頂部における間隔ｓ2が１〜７ｍｍ、好ましくは２〜５ｍｍの間隔をおいて、各へら状突起１４に各々３本づつ立設配置される。なお、先端突起１６の高さｈ3と根元部における太さ（直径）ｄとの比（ｈ3／ｄ）は０．４〜２．５となっていることが好ましく、１．０〜２．０となっていることがさらに好ましい。先端突起１６の高さｈ3と根元部における太さｄとの比を０．４〜２．５とすることにより、頭皮に押し当てたときに、毛髪を掻き分けつつ頭皮や毛穴に到達し易くなって好適な皮脂の洗浄効果が発揮されると共に、適度な刺激によって優れたマッサージ効果が得られることになる。また、特に先端突起１６の高さｈ3と根元部における太さｄとの比を２．５以下として、先端突起１６の高さを抑制することにより、先端突起１６を介して力が効果的に伝わりやすくなる他、曲がりや撓みを生じ難くなり、毛髪のからみつきが少なくなると共に、からみついた毛髪を取り除くことも容易になる。なお、先端突起１６の太さｄは、根元部における断面形状が円形の場合はその直径を、円形以外の場合は断面２次半径の２倍を意味する。
【００１９】
ブラシ面１３に植設される錐体状突起１５は、根元部の横断面形状が、例えば直径４〜１０ｍｍ程度の大きさの円形となっていると共に（図２参照）、図５にも示すように、先端が曲面状に面取りされ、先端に向かって先細りの形状を備える略円錐形状を有している。またブラシ面１３から先端までの高さｈ4が、例えば５〜２５ｍｍ、好ましくは１０〜２０ｍｍとなるよう植設されている。
【００２０】
ここで、錐体状突起１５は、その高さｈ4が、へら状突起１４のブラシ面１３から先端突起１６の先端までの高さｈ1と略同じになるように植設されることが好ましい。先端突起１６の先端の高さｈ1と錐体状突起１５の先端の高さが略同じになるように、へら状突起１４と錐体状突起１５が植設されることにより、異なる２種類の突起が同時に多点で頭皮に当たって頭皮に違った刺激を与えることが可能になり、効率的なマッサージ効果が得られると共に、皮脂の洗浄効果にも優れることになる。なお、「略同じ高さ」には、先端突起１６の先端の高さｈ1と錐体状突起１５の先端の高さｈ4が同じ高さに植設されている場合の他、例えば０．１〜５ｍｍ程度の僅かな高さの誤差の範囲でへら状突起１４と錐体状突起１５が植設されている場合も含まれる。また、複数のへら状突起１４の先端突起１６の先端と複数の錐体状突起１５の先端を連ねた先端連設面は、平坦な面とする他、例えば頭の輪郭形状に沿って内側に窪んだ凹状の湾曲面とすることもできる。先端連設面を凹状の湾曲面とすることにより、頭皮のマッサージ効果や皮脂の洗浄効果がさらに効率良く発揮されることになる。
【００２１】
そして、本実施形態では、図２に示すように、基台１２のブラシ面１３の略全体に亘って略均等に分散配置されて、へら状突起１４が１６箇所に、錐体状突起１５が８箇所に各々植設されている。また、本実施形態では、基台１２のブラシ面１３の少なくとも周縁に沿った外周部分にへら状突起１４が１２箇所に植設されており、これらの外周部分のへら状突起１４によって囲まれる内側領域２２に、錐体状突起１５が植設されている。錐体状突起１５が外周部分のへら状突起１４によって囲まれる内側領域２２に植設されることにより、へら状突起１４が毛髪を掻き分けつつ内側領域２２に導くガイドとしての役割を果たすことになり、錐体状突起１５が頭皮に接触しやすくなって、より効果的に頭皮に刺激を与えることが可能になる。
【００２２】
さらに、本実施形態では、外周部分のへら状突起１４によって囲まれる内側領域２２の中央部分を横断して、４箇所のへら状突起１４が列状に並んで１列設けられている。内側領域２２の中央部分を横断してへら状突起１４が列状に並んで植設されていることにより、へら状突起１４によるガイドとしての機能がより効果的に発揮されると共に、頭皮マッサージ用ブラシ１０をブラシ面１３の短軸方向に移動させた際に、頭皮の所定箇所にへら状突起１４と錐体状突起１５が交互に接触することになり、皮脂の掻き取りと頭皮のマッサージを交互に行って、頭皮のマッサージ効果や皮脂の洗浄効果がさらに効率良く発揮されることになる。
【００２３】
さらにまた、本実施形態では、１６箇所のへら状突起１４は、扁平な横断面形状の長軸方向Ｘを、楕円形状のブラシ面１３の短軸方向と平行な同じ方向に向けて植設されている。へら状突起１４が、扁平な横断面形状の長軸方向Ｘを同じ方向に向けて植設されていることにより、毛髪の付着やからみ付きを効果的に回避することが可能になると共に、毛髪が付着したりからみ付いても容易に除去することが可能になり、また頭皮マッサージ用ブラシ１０をブラシ面１３の短軸方向に移動させた際に、頭皮や毛髪を掻く機能が向上する。
【００２４】
また、本実施形態では、へら状突起１４及び錐体状突起１５は、隣接する突起１４，１５の根元部の間に２〜１５ｍｍの間隔s3を保持してブラシ面１３に植設されている。へら状突起１４及び錐体状突起１５の根元部の間に２〜１５ｍｍの間隔ｓ3が保持されることにより、毛髪の付着やからみ付きを効果的に回避することが可能になると共に、毛髪が付着したりからみ付いても容易に除去することが可能になり、また頭皮や毛髪を掻く機能が向上する。
【００２５】
さらに、本実施形態では、基台１２のブラシ面１３に描いた複数の平行な仮想の直線Ｙ−Ｙ（本実施形態では楕円形状のブラシ面１３の短軸方向と平行な方向に延設する５本の線）によって１列づつ分割することができるように、へら状突起１４及び錐体状突起１５が複数列（本実施形態では６列）に植設されており、且つ仮想の各直線Ｙ−Ｙに沿った帯状間隔領域２３が、突起１４，１５の根元部の間に７〜１５ｍｍの幅ｂで保持されるように、へら状突起１４及び錐体状突起１５が配置されている。突起１４，１５の根元部の間に７〜１５ｍｍの幅ｂの帯状間隔領域２３を保持してへら状突起１４及び錐体状突起１５が配置されることにより、毛髪の付着やからみ付きを効果的に回避することが可能になると共に、直線状の帯状間隔領域２３に沿って例えば指をスライド移動させたり、シャワー流水を流すことにより、毛髪が付着したりからみ付いても容易に除去することが可能になる。また、突起１４，１５を複数列に植設でき、広域に多数配置できるため、へら状突起１４及び錐体状突起１５の先端を頭皮に押し当てた時に頭皮に多点で当たることになり、使用者に痛みを感じさせることなく、好適な圧力で頭皮に押し付けることが可能になる。さらに、頭皮や毛髪を掻く機能も向上する。
【００２６】
なお、本実施形では、５本の線よって分割された６列の突起１４，１５のうち、両端部分の列を除いた４列においては、３箇所のへら状突起１４と２箇所の錐体状突起１５とが交互に配置されており、これによって、頭皮マッサージ用ブラシ１０をブラシ面１３の短軸方向に移動させた際に、頭皮の所定箇所にへら状突起１４と錐体状突起１５が交互に接触することになり、皮脂の掻き取りと頭皮のマッサージを交互に行って、頭皮のマッサージ効果や皮脂の洗浄効果がさらに効率良く発揮されることになる。
【００２７】
上述のような構成を備える本実施形態の頭皮マッサージ用ブラシ１０では、例えば把持部１１を指の間に挟み込み、ブラシ面１３とは反対側の基台１２の上面に手の平を密着させて、当該上面を覆うようにしながらブラシ１０を把持し、ブラシ面１３に植設した複数のへら状突起１４及び錐体状突起１５の先端を頭皮に押し当てた状態で、毛髪を掻き分けるようにしてブラシ１０を動かすことにより、必要に応じて洗浄剤、ヘアケア剤、化粧料等を頭皮や毛髪に塗布しつつ、洗髪や毛髪の手入れを行う。ここで、把持部１１は、その側面が、指の側面の形状に沿った凹状に窪んだ形状を備えており、ブラシ１０を手にフィットさせつつ安定した状態で把持させて、例えば頭皮マッサージ用ブラシ１０をブラシ面１３の短軸方向に移動させながら毛髪を掻き分ける操作を、容易且つスムーズに行うことを可能にしている。
【００２８】
そして、本実施形態の頭皮マッサージ用ブラシ１０によれば、主として毛髪を掻き分ける機能を発揮する複数のへら状突起１４と、主としてマッサージ効果を発揮する複数の錐体状突起１５とを、柔軟なエラストマー樹脂を用いて基台１２のブラシ面１３に異なる形状の突起として植設することにより、優れたマッサージ効果が得られると共に、優れた皮脂の除去機能や毛穴の洗浄機能を発揮することが可能になる。すなわち、本実施形態によれば、基台１２のブラシ面１３に、扁平な横断面形状を有し、先端部分に複数の先端突起１６が立設配置されたエラストマー樹脂からなる複数のへら状突起１４と、先端が曲面状に面取りされたエラストマー樹脂からなる複数の錐体状突起１５とが植設されているので、特に錐体状突起１５による、頭皮及び毛根部付近を好適な圧力で刺激するという作用によって、優れたマッサージ効果を得ることが可能になると共に、先端突起１６が立設配置されたへら状突起１４による毛髪を掻き分ける作用、及び先端突起１６が押し付け圧力を受けて痛みを感じさせない状態で頭皮に当たる作用によって、皮脂を除去する機能や毛穴の洗浄する機能を効果的に発揮させることが可能になる。
【００２９】
なお、本発明は上記実施形態に限定されることなく種々の変更が可能である。例えば、ブラシ面の周縁に沿った外周部分にへら状突起を植設し、これらの内側領域に錐体状突起を植設したり、内側領域の中央部分を横断してへら状突起の列を設ける必要は必ずしもなく、複数のへら状突起と複数の錐体状突起とをブラシ面の全体に混在させつつランダムに植設することもできる。また、へら状突起は、楕円の横断面形状の他、長円や矩形等のその他の扁平な横断面形状を有するものであっても良く、錐体状突起は略円錐形状の他、角錐形状等であっても良い。さらに、へら状突起に先端突起を２本又は４本以上設けることもでき、先端突起は、円錐形状以外のその他の形状のものであって良い。
【実施例】
【００３０】
以下、実施例及び比較例により、本発明の頭皮マッサージ用ブラシをさらに詳細に説明するが、本発明はこれらに限定されるものではない。
【００３１】
〔実施例１〕
上記実施形態の頭皮マッサージ用ブラシ１０と同様の構成を備えるブラシを、実施例１の頭皮マッサージ用ブラシとした。なお、へら状突起のブラシ面に沿った根元部の横断面形状を、長軸の長さが１０ｍｍ、短軸の長さが５ｍｍの扁平な楕円形状とし、ブラシ面から先端突起の先端までの高さｈ1を１７ｍｍとした。先端突起は、根元部における太さｄを２ｍｍとし、高さｈ3を３ｍｍとした。したがって、先端突起の高さｈ3と根元部における太さ（直径）ｄとの比（ｈ3／ｄ）は１．５である。隣接する先端突起の根元部における間隔ｓ1を１ｍｍ、頂部における間隔ｓ2を３ｍｍとした。錐体状突起１５は、根元部の直径を６．５ｍｍ、高さを１７ｍｍとした。さらに、仮想の直線Ｙ−Ｙに沿った帯状間隔領域の幅ｂを９ｍｍとした。これらの突起はエラストマー樹脂でつくられ、その硬度（ショアＡ硬度）は５７である。
【００３２】
〔実施例２〕
仮想の直線Ｙ−Ｙに沿った帯状間隔領域の幅ｂを４ｍｍとした以外は実施例１の頭皮マッサージ用ブラシと同様の構成を備えるブラシを実施例２の頭皮マッサージ用ブラシとした。
【００３３】
〔比較例１〕
錐体状突起を設けることなく、へら状突起のみを複数ブラシ面に配置したブラシを、比較例１の頭皮マッサージ用ブラシとした。なお、複数のへら状突起は図６（ａ）に示すように配置し、へら状突起のブラシ面に沿った根元部の横断面形状を、長軸の長さが１０ｍｍ、短軸の長さが５ｍｍの扁平な楕円形状とし、ブラシ面から先端突起の先端までの高さｈ1を１７ｍｍとした。先端突起は、根元部における太さｄを２ｍｍとし、高さｈ3を１０ｍｍとした。したがって、先端突起の高さｈ3と根元部における太さ（直径）ｄとの比（ｈ3／ｄ）は５である。隣接する先端突起の根元部における間隔ｓ1を１．０ｍｍ、頂部における間隔ｓ2を３ｍｍとした。さらに、仮想の直線Ｙ−Ｙに沿った帯状間隔領域の幅ｂを９ｍｍとした。
【００３４】
〔比較例２〕
へら状突起を設けることなく、錐体状突起のみを複数ブラシ面に配置したブラシを、比較例１の頭皮マッサージ用ブラシとした。なお、複数の錐体状突起の図６（ｂ）に示すようにブラシ面の全体に亘って略均等にランダムに配置し、錐体状突起１５は、根元部の直径を６．５ｍｍ、高さを１７ｍｍとした。
【００３５】
〔使用評価〕
実施例１，２、及び比較例１，２の頭皮マッサージ用ブラシを、１０人のモニターにシャンンプーを用いた洗髪時に実際に使用してもらい、クシ通りの良さ、マッサージ感、洗浄感、絡まった毛の取り除き易さの各項目について、使用評価を行った。評価結果を表１に示す。なお、各評価項目について、良好と答えたモニターが１０人中の１０〜９人の場合を「◎」、８〜６人の場合を「○」、５〜４人の場合を「△」、３〜０人の場合を「×」として評価した。
【００３６】
【表１】
0005345197.tif 000002
【００３７】
表１に示す評価結果によれば、本発明に係る実施例１，２の頭皮マッサージ用ブラシによれば、クシ通りの良さ、マッサージ感、及び洗浄感のいずれについても良好な結果が得られることがわかった。
【符号の説明】
【００３８】
１０  頭皮マッサージ用ブラシ
１１  把持部
１２  基台
１３  ブラシ面
１４  へら状突起
１４ａ  へら状部
１５  錐体状突起
１６  先端突起
１７  基台本体
１７ａ  装着開口
１７ｂ  装着凹部
１７ｃ  係止凹溝
１７ｄ  支持棒
１７ｅ  周縁段差部
１８  基板
１８ａ  基板の周端面
１９  エラストマー成形体
１９ａ  エラストマー成形体の底盤部
２０  楕円突起穴
２１  円形突起穴
２２  内側領域
２３  帯状間隔領域
ｈ1   へら状突起の高さ
ｈ2   へら状部の高さ
ｈ3   先端突起の高さ
ｈ4   錐体状突起の高さ
ｄ    先端突起の太さ
ｓ1   先端突起間の根元部における間隔
ｓ2   先端突起間の頂部における間隔
ｓ3   突起間の間隔
ｂ    帯状間隔領域の幅
Ｘ    へら状突起の扁平な横断面形状の長軸方向
Ｙ−Ｙ  基台のブラシ面に描いた平行な仮想の直線
【図１】
0005345197.tif 000003
【図２】
0005345197.tif 000004
【図３】
0005345197.tif 000005
【図４】
0005345197.tif 000006
【図５】
0005345197.tif 000007
【図６】
0005345197.tif 000008